(57)【要約】【課題】明らかに間違ったサイズのページが入力された場合であっても、印刷ミスを抑えることができる面付け装置、および面付けプログラムを提供することを目的とする。【解決手段】ページ枠が用紙上に少なくとも１つ面付けられるとともに、ページ枠を包含する仮想ページ枠が設定されたレイアウト上にページを配置するときに、ページを仮想ページにあわせた大きさに調整してから用紙画像を生成する。【選択図】        図１０
2004193734.tif 000002
【特許請求の範囲】
【請求項１】
ページ枠が用紙上に少なくとも１つ面付けられるレイアウトの各ページ枠上に、画像及び／又は文字を含むページを配置する面付け装置において、
前記レイアウト上に配置されるページを該レイアウト上のページ枠よりも大きい仮想ページ枠に合わせるサイズ調整を行うページサイズ調整部と、
前記ページサイズ調整部でサイズが調整されたページを前記レイアウトのページ枠上に配置し、ページが配置された用紙全体を画像化して用紙画像を生成する用紙画像生成部とを備えたことを特徴とする面付け装置。
【請求項２】
前記仮想ページ枠が、前記ページ枠の周辺を取り囲んだ所定幅の裁ち落とし代を包含する大きさの枠であることを特徴とする請求項１記載の面付け装置。
【請求項３】
コンピュータ内で実行され、該コンピュータによって、ページ枠が用紙上に少なくとも１つ面付けられるレイアウトの各ページ枠上に、画像及び／又は文字を含むページを配置する面付けプログラムにおいて、
前記レイアウト上に配置されるページを、該レイアウト上のページ枠よりも大きい仮想ページ枠に合わせてサイズ調整を行うページサイズ調整部と、
前記ページサイズ調整部でサイズが調整されたページを前記レイアウトの各ページ枠上に配置し、ページが配置された用紙全体を画像化して用紙画像を生成する用紙画像生成部とを備えたことを特徴とする面付けプログラム。
【発明の詳細な説明】
【０００１】
【発明の属する技術分野】
本発明は、用紙上にページを面付けて、その用紙全体を表す用紙画像を生成する面付け装置、およびコンピュータ内で実行されることによりそのコンピュータを面付け装置として動作させる面付けプログラムに関する。
【０００２】
【従来の技術】
従来より、印刷の分野において、コンピュータを利用して編集の作業を行うＤＴＰ（ＤｅｓｋＴｏｐ  Ｐｕｂｌｉｓｈｉｎｇ）が広範に適用されている。ＤＴＰは、ＷＹＳＩＷＹＧ（Ｗｈａｔ  Ｙｏｕ  Ｓｅｅ  Ｉｓ  Ｗｈａｔ  Ｙｏｕ  Ｇｅｔ＝見たままに出力する）という思想を実現するものであり、オペレータは、表示画面を見ながら文字や画像の編集を行い、印刷物のイメージを確認してから、画像等をプリンタやイメージセッタなどで印刷・製版することができる。
【０００３】
このＤＴＰにおいて、オペレータが文字や画像を編集する際に使用するソフトウェアは、一般にＤＴＰソフトウェアとよばれている。ＤＴＰソフトウェアは、オペレータによって編集された文字や画像を基に、ページごとのイメージを表現するページ記述データとよばれる形式のデータを生成する。このページ記述データは、このままではプリンタ等の出力デバイスで出力することができないため、ＲＩＰ（Ｒａｓｔｅｒ  Ｉｍａｇｅ  Ｐｒｏｃｅｓｓｏｒ）でページ記述データを出力デバイスで出力可能なビットマップデータ（網点画像のデータ）に変換し、出力デバイスでは、このビットマップデータを基にして印刷物が作成される。
【０００４】
ここで、例えば、複数のページで構成される冊子等の印刷物を作成する際には、一枚の大きな用紙上に複数のページを面付けて印刷し、その用紙を仕上がりサイズに合わせて折り・断裁して製本することが行われている。この面付け処理においては、従来から、オペレータが１ページずつ編集後のページを用紙上に配置することが行われているが、近年では、予め用紙のサイズと冊子のページサイズを指定すると、面付けレイアウトを作成して、オペレータによって編集された複数のページをその面付けレイアウトに流し込んで自動的に配置する面付けアプリケーションが広く知られている（例えば、特許文献１参照）。ここで、以下では、この面付けアプリケーションを使ってページを面付けて、それらのページで構成される冊子を製本する一連の作業について説明する。
【０００５】
図１は、オペレータによって編集されたページを面付けレイアウトに配置して印刷し、製本する一連の処理を示す図である。
【０００６】
まず、オペレータは、ページを編集し、そのページを配置する用紙の用紙サイズと製本時のページサイズを指定する。面付けアプリケーションは、この用紙サイズとページサイズを基に、面付けレイアウトを作成する。
【０００７】
図１のステップ（Ａ）は、オペレータによって編集されたページ１を示し、ステップ（Ｂ）は、面付けアプリケーションによって作成された面付けレイアウトの一部（１ページ分）を示している。レイアウト２には、製本時のページサイズを示すページ枠４と、ページ枠４の周囲に裁ち代であるブリード５を加えたブリード枠３が備えられている。ステップ（Ａ）に示すページ１の大きさは、レイアウト２のページ枠４よりも大きくなっている。
【０００８】
面付けアプリケーションは、面付けレイアウトを作成すると、次に、ページ１の中心をレイアウト２の中心に合わせ、ページ１をレイアウト２上に配置する。
【０００９】
ステップ（Ｃ）は、ページ１の中心をレイアウト２の中心に合わせて配置したときのイメージを示している。ページ１に含まれている画像部分６が、ページ枠４内に収まらずにブリード５まではみ出している。この状態で面付けレイアウトにページ１および他のページを配置したイメージを用紙上に印刷し、その用紙をページ枠４に合わせて折り・断裁して製本する。
【００１０】
用紙を断裁する際は、一度に大量の用紙を断裁するために用紙がずれてしまうことがあり、全ての印刷物がページ枠ぴったりに断裁されるとは限らない。そのため、ページ枠ぎりぎりに見開きのページにかかる画像が配置されているときなどは、用紙を断裁して製本したときにページの境界面に筋が入ってしまう恐れがある。これを防ぐために、面付けレイアウトには、図１のレイアウト２のようにページ枠４の外側に裁ち代であるブリード５を用意しておき、編集後のページのサイズは、ページ１のようにページ枠４よりも若干大きめにしておいて、印刷後にページ枠４に合わせて折り・断裁することが行われている。
【００１１】
ステップ（Ｄ）は、製本後のページ１、および製本時にページ１の見開きのページとして綴じられたページ７を示している。画像部分６は、ブリード５にかかっていた部分が断裁されており、ページ１はページ枠４に合ったサイズになっている。ページ１の画像部分６とページ７の画像部分８との間は、画像の切れ目がなく、きれいに繋がっている。
【００１２】
以上のようにして、オペレータによって編集されたページが面付け、および印刷されて製本される。
【００１３】
【特許文献１】
特開平１１−２１６９２４号公報
【００１４】
【発明が解決しようとする課題】
上記のように、面付けアプリケーションを用いて自動的に面付け処理を行う場合、仕上がりサイズよりも大きいページが入力されたときには、そのページはブリードが考慮されたページとして扱われる。
【００１５】
しかしながら、従来の方法によると、例えば、仕上がりサイズがＡ４の面付けレイアウトに対してＡ３のページが入力されるなどというように、明らかに間違ったサイズのページが入力された場合であっても、そのページをブリードが考慮されたページとして扱い、印刷を続けてしまうという恐れがある。通常は複数のページをまとめて印刷するため、上記のような印刷ミスが生じると、無駄な用紙を大量に使ってしまううえ、印刷された用紙上のイメージを逐一確認する手間がかかり、印刷コストを上昇させてしまうという問題がある。
【００１６】
本発明は、上記事情に鑑み、明らかに間違ったサイズのページが入力された場合であっても、印刷ミスを抑えることができる面付け装置、および面付けプログラムを提供することを目的とする。
【００１７】
【課題を解決するための手段】
本発明の面付け装置は、ページ枠が用紙上に少なくとも１つ面付けられるレイアウトの各ページ枠上に、画像及び／又は文字を含むページを配置する面付け装置において、
レイアウト上に配置されるページをレイアウト上のページ枠よりも大きい仮想ページ枠に合わせるサイズ調整を行うページサイズ調整部と、
ページサイズ調整部でサイズが調整されたページをレイアウトのページ枠上に配置し、ページが配置された用紙全体を画像化して用紙画像を生成する用紙画像生成部とを備えたことを特徴とする。
【００１８】
ここで、「サイズ調整」とは、縦横の双方を仮想ページ枠に合わせる調整であってもよく、元のページの縦横比を維持して、仮想ページ枠の縦あるいは横に合わせる調整であってもよい。
【００１９】
本発明の面付け装置は、ページをページ枠よりも大きい仮想ページ枠に合わせた大きさにサイズ調整し、サイズが調整されたページをレイアウトのページ枠上に配置する。例えば、仮想ページ枠として所望のページサイズに裁ち落とし代程度の多少の余裕を持たせたサイズの枠を設定しておくと、明らかに間違ったサイズのページが入力された場合であっても、サイズ調整後のページが配置された用紙画像が生成されるため、印刷ミスを抑えることができる。
【００２０】
また、本発明の面付け装置において、上記の仮想ページ枠が、ページ枠の周辺を取り囲んだ所定幅の裁ち落とし代を包含する大きさの枠であることであることが好ましい。
【００２１】
用紙を断裁する際の用紙のずれによって生じる誤差を吸収するため、通常、ページ枠の外側に裁ち落とし代を設けることが行われている。仮想ページ枠を裁ち落とし代も包含するように設定することで、例えば、ページ枠よりも小さいページが入力された場合であっても、ページが裁ち落とし代を含む大きさにサイズ調整され、裁ち落とし代を備えた好適な用紙画像を生成することができる。
【００２２】
さらに、本発明の画像配置プログラムは、コンピュータ内で実行され、コンピュータによって、
ページ枠が用紙上に少なくとも１つ面付けられるレイアウトの各ページ枠上に、画像及び／又は文字を含むページを配置する面付けプログラムにおいて、
レイアウト上に配置されるページを、レイアウト上のページ枠よりも大きい仮想ページ枠に合わせてサイズ調整を行うページサイズ調整部と、
ページサイズ調整部でサイズが調整されたページをレイアウトの各ページ枠上に配置し、ページが配置された用紙全体を画像化して用紙画像を生成する用紙画像生成部とを備えたことを特徴とする。
【００２３】
本発明の面付けプログラムをコンピュータ内で実行させることによって、そのコンピュータを上記のような面付け装置として動作させることができる。
【００２４】
【発明の実施の形態】
以下、本発明の実施形態について説明する。
【００２５】
図２は、本発明の一実施形態が適用された画像処理システムの全体構成図である。この画像処理システムは、カラースキャナ１０、パーソナルコンピュータ２０、およびカラープリンタ３０で構成されている。
【００２６】
カラースキャナ１０では原稿画像１１が読み取られて、原稿画像１１を表す画像データが生成される。この画像データは、パーソナルコンピュータ２０に入力される。
【００２７】
パーソナルコンピュータ２０は、カラースキャナ１０で読み取られた原稿画像１１などを基に編集されたページを用紙上に配置したときの、用紙全体の画像を表す用紙画像を生成し、その用紙画像を表す画像データをカラープリンタ２０に適した画像出力用の画像データに展開する。このパーソナルコンピュータ２０には、ページ生成装置６０、本発明の一実施形態である面付け装置７０、画像展開装置８０、および記憶装置９０それぞれとしての機能が備えられている。オペレータがパーソナルコンピュータ２０に備えられているキーボードやマウスを使って原稿画像１１や文字を編集すると、編集後の画像や文字はページ生成装置６０に送られる。ページ生成装置６０は、オペレータが編集した画像や文字を含むページを生成する。面付け装置７０は、ページ生成装置６０からページを取得して、用紙上に少なくとも１つのページを面付けたときの用紙全体を表す用紙画像を生成する。生成された用紙画像は、記憶装置９０に送られて、記憶装置９０に記憶される。また、本実施形態において、面付け装置７０で生成された用紙画像を表す用紙画像データはページ記述データで記述されており、カラープリンタ３０では出力できない。面付け装置７０は、この用紙画像データを画像展開装置８０に送り、画像展開装置８０は、ページ記述データで記述された用紙画像データを、カラープリンタ３０で出力可能なビットマップ形式の画像データに展開してからカラープリンタ３０に送る。
【００２８】
カラープリンタ３０は、画像展開装置８０から送られてきた用紙画像データを用紙上に出力して、用紙画像３１を作成する。従来から、複数のページが１枚の大きな用紙上に配置された製本用などの用紙画像を作成する際には、主に印刷機が用いられている。しかし、刷版を作成して、その刷版にインクを塗布し、用紙上に印刷を行なう印刷の一連の作業は大掛かりなものであるため、例えばオンデマンドパブリッシングなどのように少数の印刷物を作成する際には、印刷機よりも手軽なカラープリンタが用いられて用紙画像が作成される。
【００２９】
ここで、パーソナルコンピュータ２０のハードウェアについて説明する。
【００３０】
図３は、パーソナルコンピュータ２０の外観図である。
【００３１】
パーソナルコンピュータ２０は、外観構成上、本体装置２１、その本体装置２１からの指示に応じて表示画面２２ａ上に画像を表示する画像表示装置２２、本体装置２１に、キー操作に応じた各種の情報を入力するキーボード２３、および、表示画面２２ａ上の任意の位置を指定することにより、その位置に表示された、例えばアイコン等に応じた指示を入力するマウス２４を備えている。この本体装置２１は、外観上、フレキシブルディスク（以下、ＦＤと省略する）を装填するためのＦＤ装填口２１ａ、およびＣＤ−ＲＯＭを装填するためのＣＤ−ＲＯＭ装填口２１ｂを有する。
【００３２】
図４は、パーソナルコンピュータ２０のハードウェア構成図である。
【００３３】
図３の本体装置２１の内部には、図４に示すように、各種プログラムを実行するＣＰＵ２１１、ハードディスク装置２１３に格納されたプログラムが読み出されＣＰＵ２１１での実行のために展開される主メモリ２１２、図２に示す記憶装置９０に相当し、各種プログラムやデータ等が保存されたハードディスク装置２１３、ＦＤ１００が装填され、そのＦＤ１００をアクセスするＦＤドライブ２１４、ＣＤ−ＲＯＭ１１０をアクセスするＣＤ−ＲＯＭドライブ２１５、図２のカラースキャナ１０から画像データを受け取る入力インタフェース２１６、図２のカラープリンタ３０などの外部装置に画像データを送る出力インタフェース２１７が内蔵されており、これらの各種要素と、さらに図３にも示す画像表示装置２２、キーボード２３、マウス２４は、バス２５を介して相互に接続されている。
【００３４】
ここで、ＣＤ−ＲＯＭ１１０には、このパーソナルコンピュータ２０を本発明の面付け装置の一実施形態として動作させるための面付けプログラムが記憶されており、そのＣＤ−ＲＯＭ１１０はＣＤ−ＲＯＭドライブ２１５に装填され、そのＣＤ−ＲＯＭ１１０に記憶された面付けプログラムがこのパーソナルコンピュータ２０にアップロードされてハードディスク装置２１３に記憶される。こうしてパーソナルコンピュータ２０は本発明の面付け装置の一実施形態として動作する。
【００３５】
次に、本発明の一実施形態である図２の面付け装置７０を生成するための面付けプログラムについて説明する。
【００３６】
図５は、本発明の面付けプログラムの一実施形態が記憶されたＣＤ−ＲＯＭ１１０を示す概念図である。
【００３７】
ＣＤ−ＲＯＭ１１０に記憶された面付けプログラム２００は、ページサイズ調整部２０１と用紙画像生成部２０２とで構成されている。ここで、ページサイズ調整部２０１は本発明の面付けプログラムにおけるページサイズ調整部の一例に相当し、同様に、用紙画像生成部２０２は本発明の面付けプログラムにおける用紙画像生成部の一例に相当する。面付けプログラム２００の各部の詳細については、図６に示す本発明の面付け装置の一実施形態である面付け装置７０の各部の作用と一緒に説明する。
【００３８】
図６は、この面付けプログラム２００を図２のパーソナルコンピュータ２０にインストールし、パーソナルコンピュータ２０を本発明の面付け装置の一実施形態として動作させるときの面付け装置７０の機能ブロック図である。
【００３９】
図２にも示す面付け装置７０は、ページサイズ調整部７１、用紙画像生成部７２、およびレイアウト生成部７３を備えている。図５に示す面付けプログラム２００を図２〜図４に示すパーソナルコンピュータ２０にインストールすると、面付けプログラム２００のページサイズ調整部２０１は図６のページサイズ調整部７１を構成し、同様に、用紙画像生成部２０２は用紙画像生成部７２を構成する。
【００４０】
オペレータが図３のキーボード２３およびマウス２４を使って、ページ枠などが設定されたレイアウトを作成するのに必要なページサイズなどの諸設定値や、ページのサイズを調整する際に基準となる基準サイズを指定すると、それらの諸設定値はレイアウト生成部７３に送られる。レイアウト生成部７３は、指定された諸設定値に基づいてレイアウトを作成して、そのレイアウトを用紙画像生成部７２に送り、指定された基準サイズをページサイズ調整部７１に送る。
【００４１】
ページサイズ調整部７１は、レイアウト生成部７３から基準サイズを取得し、図２に示すページ生成装置６０からページを取得する。また、ページサイズ調整部７１は、取得したページの大きさを、基準サイズに合わせた大きさに調整する。このページサイズ調整部７１は、本発明の面付け装置におけるページサイズ調整部の一例に相当する。サイズが調整されたページは、用紙画像生成部７２に送られる。
【００４２】
用紙画像生成部７２は、レイアウト生成部７３からレイアウトを取得し、ページサイズ調整部７１からページを取得する。さらに、用紙画像生成部７２は、取得したページをレイアウト上のページ枠上に配置したときの、用紙全体を表す用紙画像を生成する。この用紙画像生成部７２は、本発明の面付け装置における用紙画像生成部の一例に相当する。生成された用紙画像は、図２に示す画像展開装置８０に送られる。
【００４３】
面付け装置７０は、基本的には以上のように構成されている。
【００４４】
図７は、ページをレイアウト上に配置して用紙画像を生成し、その用紙画像を用紙上に出力するときの一連の処理を示すフローチャートである。以下では、このフローチャートを使って、図２のページ生成装置６０から送られてきたページを、面付け装置７０を用いて用紙上に配置し、用紙画像を図２のカラープリンタ３０で出力する一連の処理について説明する。
【００４５】
まず、オペレータが予め用意されているアイコン（図示しない）を図３のマウス２４を使ってクリックすると、図３の表示画面２２ａに、予め用意されている設定画面が表示される。
【００４６】
図８は、表示画面２２ａに表示された設定画面３００を示す図である。設定画面３００には、用紙サイズを設定するための用紙サイズ設定部３１０、ページに関する諸設定値を設定するためのページ設定部３２０、例えば用紙上に４つのページを配置するなどというような配置形式が定められた配置テンプレートを設定するための配置テンプレート設定部３３０、およびページのサイズ調整を行う際に基準となる基準サイズを設定するためのフィッティング設定部３４０とが備えられており、さらに、ページ設定部３２０は、ページサイズを設定するためのページサイズ設定部３２１、裁ち落とし代の幅を設定するためのブリード幅設定部３２２、および基準サイズの１つである仮想ページ枠を定める仮想ページ幅を設定するための仮想ページ幅設定部３２３に分けられている。また、本実施形態においては、基準サイズとして、指定されたページサイズを取り囲むページ枠の大きさ、あるいはページ枠を指定された仮想ページ幅で取り囲む仮想ページ枠の大きさのいずれかを指定することができる。ここで、説明の便宜上、以下では、基準サイズとして仮想ページ枠の大きさが設定されるものとして説明する。オペレータは、設定画面３００を使って、用紙サイズ、ページサイズ、ブリード幅、仮想ページ幅、配置テンプレート、および基準サイズを指定する。
【００４７】
オペレータが指定した各値は、図６のレイアウト生成部７３に送られる。レイアウト生成部７３は、それらの値に合ったレイアウトを作成する（図７のステップ（ａ））。
【００４８】
図９は、レイアウト生成部７３で生成されたレイアウトを示す図である。図９（Ａ）に示すレイアウト４００には、オペレータによって指定された用紙サイズの用紙枠４１０が設定されており、その用紙枠４１０内には、この例では４つのページ領域４１１が用意されている。図９（Ｂ）には、図９（Ａ）に示す４つのページ領域４１１のうちの１つのページ領域４１１が示されている。ページ領域４１１には、オペレータによって指定されたページサイズのページ枠４２０、指定されたブリード幅４３１でページ枠４２０を包含するブリード枠４３０、指定された仮想ページ幅４４１でページ枠４２０を包含する仮想ページ枠４４０が設定されている。このページ枠４２０は本発明にいうページ枠の一例であり、同様に、ブリード枠４３０とページ枠４２０との間の裁ち落とし代は本発明にいう裁ち落とし代の一例、仮想ページ枠４４０は本発明にいう仮想ページ枠の一例にあたり、レイアウト４００は本発明にいうレイアウトの一例に相当する。レイアウト作成部７３は、作成したレイアウトを用紙画像生成部７２に送り、基準サイズである仮想ページ枠をページサイズ調整部７１に送る。
【００４９】
ページサイズ調整部７１には、レイアウト作成部７３から基準サイズとして仮想ページ枠が送られ、図２のページ生成装置６０からページが送られてくる（図７のステップ（ｂ））。
【００５０】
図１０は、ページサイズ調整部７１が取得したページ、およびページを図９に示すレイアウト４００上に配置したときのページ領域４１１を示す図である。
【００５１】
この図１０のＡ部分には、ページサイズ調整部７１が取得したページ５００が示されている。また、図１０のＢ部分には、取得したそのままのページ５００を図９に示すレイアウト４００のページ領域４１１上に配置する場合のページ領域４１１が示されている。この例では、ページ５００は、ページ領域４１１のページ枠４２０、ブリード枠４３０、および仮想ページ枠４４０からはみ出しており、明らかに大きすぎるサイズのページである。
【００５２】
ここで、ページサイズ調整部７１は、図２のページ生成装置６０から送られてきたページ５００を、基準サイズとして設定された仮想ページ枠４４０の大きさに合わせて縮小し（図７のステップ（ｃ））、サイズ調整後のページを用紙画像生成部７２に送る。
【００５３】
用紙画像生成部７２は、ページサイズ調整部７１からサイズ調整後のページを取得し、そのページを図９のレイアウト４００のページ領域４１１上に配置する（図７のステップ（ｄ））。
【００５４】
図１０のＣ部分には、サイズ調整後のページ５００を図９に示すレイアウト４００のページ領域４１１上に配置したときのページ領域４１１が示されている。サイズ調整後のページ５００は、仮想ページ枠４４０と同じ大きさに調整されている。
【００５５】
続いて、図７のステップ（ｅ）に進む。ページサイズ調整部７１は、図１０に示すページ５００以外のページも取得したものとして、ステップ（ｃ）に戻って説明する。
【００５６】
図１１は、ページサイズ調整部７１が取得したページ、およびページを図９に示すレイアウト４００上に配置したときのページ領域を示す図である。
【００５７】
図１１のＡ部分には、ページサイズ調整部７１が取得したページ６００が示されており、Ｂ部分には、取得したそのままのページ６００を図９に示すレイアウト４００のページ領域上に配置する場合のページ領域が示されている。この例では、ページ６００は、ページ領域のページ枠４２０よりも小さいサイズのページである。ページサイズ調整部７１は、ページ６００を、基準サイズとして設定された仮想ページ枠４４０の大きさに合わせて拡大し（図７のステップ（ｃ））、図１０に示すページ５００の場合と同様に、サイズ調整後のページを用紙画像生成部７２に送る。
【００５８】
図１１のＣ部分には、サイズ調整後のページ６００を図９に示すレイアウト４００のページ領域上に配置したときのページ領域が示されている。サイズ調整後のページ６００は、図１０のＣ部分に示されたページ５００と同様に、仮想ページ枠４４０と同じ大きさに調整されている。
【００５９】
さらに、図７のステップ（ｃ）およびステップ（ｄ）の処理が、図２のページ生成装置６０からページサイズ調整部７１に送られてきたページ全てについて行われる。図７のステップ（ｅ）において、全てのページの配置が終了すると、ステップ（ｆ）に進む。
【００６０】
用紙画像生成部７２は、ページが配置されたレイアウト上に、用紙を断裁する際の目印であるトンボを設定する（図７のステップ（ｆ））。
【００６１】
さらに、用紙画像生成部７２は、ページが配置されたレイアウト上の用紙枠内全体を表す用紙画像を生成する（図７のステップ（ｇ））。
【００６２】
図１２は、用紙画像生成部７２で生成された用紙画像を示す図である。用紙画像４５０には、ページ５００やページ６００のような４つのページが配置されており、トンボ４５１が備えられている。全てのページは、トンボ４５１が囲む領域よりも大きいが、領域からはみ出す画像部分は断裁時に切り取られる。用紙画像生成部７２は、用紙画像４５０を図２の画像展開装置８０および記憶装置９０に送る。
【００６３】
図２の記憶装置９０は、用紙画像生成部７２から送られてきた用紙画像を記憶する。また、図２の画像展開装置８０は、用紙画像生成部７２から用紙画像を取得して、その用紙画像を表す画像データの形式をページ記述データからビットマップデータに展開する。展開された画像データが表す網点の用紙画像は、図２のカラープリンタ３０に送られて、カラープリンタ３０で用紙上に出力される（図７のステップ（ｉ））。
【００６４】
このように、明らかに間違った大きなサイズのページが取得されたときであっても、そのページの大きさを調整してから用紙画像を生成することによって、印刷ミスを軽減させることができる。また、逆に、設定されたページサイズよりも小さいサイズのページが取得されたときであっても、そのページを仮想ページ枠に合ったサイズに調整することで、ブリードを付加することができる。
【００６５】
ここで、上記では、ページを仮想ページ枠と同じ大きさに調整するページサイズ調整部を備えた面付け装置について説明したが、本発明にいうページサイズ調整部は、例えば、ページの横幅が仮想ページ枠の横幅に合うように、縦横同比率でサイズ調整を行うなどというように、ページを仮想ページ枠の一部分に合わせてサイズ調整するものであってもよい。
【００６６】
また、上記では、ページ枠が用紙上に４つ面付けられたレイアウトを使って説明したが、本発明の面付け装置が用いるレイアウトは、用紙上に少なくとも１つのページ枠が面付けられたものであればページ枠は４つに限らない。
【００６７】
また、上記では、オペレータが用紙サイズやページサイズなどを指示して、それらの値に合ったレイアウトを適用する面付け装置について説明したが、本発明の面付け装置は、予め定められたレイアウトを適用するものであってもよい。
【００６８】
【発明の効果】
以上説明したように、本発明によれば、明らかに間違った大きなサイズのページが取得されたときであっても、印刷ミスを抑えることができる。また、逆に、設定されたページサイズ以下のサイズのページが取得されたときであっても、そのページを仮想ページサイズに合わせてサイズ調整することで、ブリードを付加することができる。
【図面の簡単な説明】
【図１】オペレータによって編集されたページを面付けレイアウトに配置して印刷し、製本する一連の処理を示す図である。
【図２】本発明の一実施形態が適用された画像処理システムの全体構成図である。
【図３】パーソナルコンピュータの外観図である。
【図４】パーソナルコンピュータのハードウェア構成図である。
【図５】本発明の面付けプログラムの一実施形態が記憶されたＣＤ−ＲＯＭを示す概念図である。
【図６】面付け装置の機能ブロック図である。
【図７】ページをレイアウト上に配置して用紙画像を生成し、その用紙画像を用紙上に出力するときの一連の処理を示すフローチャートである。
【図８】表示画面に表示された設定画面を示す図である。
【図９】ページサイズ調整部で取得されたレイアウトを示す図である。
【図１０】ページサイズ調整部が取得したページ、およびページを図９に示すレイアウト上に配置したときのページ領域を示す図である。
【図１１】ページサイズ調整部が取得したページ、およびページを図９に示すレイアウト上に配置したときのページ領域を示す図である。
【図１２】用紙画像生成部で生成された用紙画像を示す図である。
【符号の説明】
１    ページ
２    レイアウト
３    ページ枠
４    ブリード枠
５    ブリード
６    画像部分
７    ページ
８    画像部分
１０    カラースキャナ
１１    原稿画像
２０    パーソナルコンピュータ
２１    本体装置
２１ａ    ＦＤ装填口
２１ｂ    ＣＤ−ＲＯＭ装填口
２２    画像表示装置
２２ａ    表示画面
２３    キーボード
２４    マウス
２５    バス
３０    カラープリンタ
３１    用紙画像
６０    ページ生成装置
７０    面付け装置
７１    ページサイズ調整部
７２    用紙画像生成部
７３    レイアウト生成部
８０    画像展開装置
９０    記憶装置
１００    ＦＤ
１１０    ＣＤ−ＲＯＭ
２００    面付けプログラム
２０１    ページサイズ調整部
２０２    用紙画像生成部
２１１    ＣＰＵ
２１２    主メモリ
２１３    ハードディスク
２１４    ＦＤドライブ
２１５    ＣＤ−ＲＯＭドライブ
２１６    入力インタフェース
２１７    出力インタフェース
３００    設定画面
３１０    用紙サイズ設定部
３２０    ページ設定部
３２１    ページサイズ設定部
３２２    ブリード幅設定部
３２３    仮想ページ幅設定部
３３０    配置テンプレート設定部
３４０    フィッティング設定部
４００    レイアウト
４１０    用紙枠
４１１    ページ領域
４２０    ページ枠
４３０    ブリード枠
４３１    ブリード幅
４４０    仮想ページ枠
４４１    仮想ページ幅
４５０    用紙画像
４５１    トンボ
５００    ページ
６００    ページ
【図１】
2004193734.tif 000003
【図２】
2004193734.tif 000004
【図３】
2004193734.tif 000005
【図４】
2004193734.tif 000006
【図５】
2004193734.tif 000007
【図６】
2004193734.tif 000008
【図７】
2004193734.tif 000009
【図８】
2004193734.tif 000010
【図９】
2004193734.tif 000011
【図１０】
2004193734.tif 000012
【図１１】
2004193734.tif 000013
【図１２】
2004193734.tif 000014